(57)【要約】【課題】ユーザー端末のスループット性能及び速度を向上させること。【解決手段】本発明は、キャリアアグリゲーションの実施方法及び基地局を開示した。当該方法は、基地局がキャリアアグリゲーション用の予約リソースと、ユーザー端末の性能とを含む所定情報を確定して、ユーザー端末の性能に応じて、予約リソースから第１キャリアリソースを選択し、予約リソース以外のリソースからユーザー端末にデータを搬送するための第２キャリアを選択して、第１キャリアリソースと第２キャリアリソースとをアグリゲーションさせることを含む。本発明は、セル間の干渉を低減する前提の下、ユーザー端末が使用するキャリアの数を拡張し、新しい無線通信ネットワークの各種の要求に適応して、無線通信ネットワークにおける通信品質を保証することができる。【選択図】図１
2012521691.tif 000002
【特許請求の範囲】
【請求項１】
基地局は、キャリアアグリゲーション用の予約リソースと、ユーザー端末の性能とを含む所定情報を確定し、
前記基地局は、前記ユーザー端末の性能に応じて、前記予約リソースから第１キャリアリソースを選択し、前記予約リソース以外のリソースから、前記ユーザー端末にデータを搬送する第２キャリアリソースを選択し、
前記基地局は、前記第１キャリアリソースと前記第２キャリアリソースとをアグリゲーションさせる
キャリアアグリゲーションの実施方法。
【請求項２】
前記基地局が前記第１キャリアリソースと前記第２キャリアリソースとをアグリゲーションさせることは、
前記基地局が、前記ユーザー端末から報告された、前記ユーザー端末が前記基地局によって選択された前記第１キャリアリソースと前記第２キャリアリソースとの干渉を測定した結果である測定結果を受信し、
前記基地局が、前記測定結果に応じて、前記ユーザー端末の干渉がシステムにおけるセル間の干渉協調の条件に合うかを判断し、
前記ユーザー端末の干渉が前記システムにおけるセル間の干渉協調の条件と合う場合、前記基地局が前記第１キャリアリソースと前記第２キャリアリソースとをアグリゲーションさせることを含むことを特徴とする請求項１に記載の方法。
【請求項３】
前記基地局が前記測定結果に応じて、前記干渉が前記条件に合うかを判断することは、
前記判断結果が、前記ユーザー端末の干渉が前記システムにおけるセル間の干渉協調の条件と合わなかったことを示している場合、前記基地局が前記第２キャリアリソースと前記予約リソースとを新規予約リソースとし、前記新規予約リソースから第１キャリアリソースを再選択することをさらに含むことを特徴とする請求項２に記載の方法。
【請求項４】
前記基地局が確定した前記所定情報は、キャリアアグリゲーションに含まれるキャリアのサイズをさらに含み、前記基地局が、全ての前記ユーザー端末がサポートする帯域幅のタイプに応じて、前記サイズを確定することを特徴とする請求項１に記載の方法。
【請求項５】
前記基地局は、現在のシステムにおける負荷条件と、ユーザー端末の性能及び/または当該性能の変化と、全てのユーザー端末がサポートする帯域幅のタイプと、セル間の干渉条件との少なくとも１つに応じて、前記予約リソースを確定することを特徴とする請求項１に記載の方法。
【請求項６】
隣接セルにおいて、前記基地局が確定した全てのキャリアアグリゲーション用の前記予約リソースは、直交リソースであることを特徴とする請求項１に記載の方法。
【請求項７】
前記基地局が確定した前記ユーザー端末の性能は、
前記ユーザー端末の帯域幅性能、アグリゲーションに影響するキャリアの数及びアグリゲーションに影響するキャリアのサイズを含むことを特徴とする請求項１に記載の方法。
【請求項８】
前記基地局が前記キャリアリソースと前記他のキャリアリソースとをアグリゲーションさせた後、
前記ユーザー端末による、アグリゲーションによって生じる新規キャリアの使用によって引き起こされる干渉が前記条件に合わない場合、前記基地局は、第１キャリアリソースを再選択することをさらに含むことを特徴とする請求項１〜７のいずれかの１項に記載の方法。
【請求項９】
前記第１キャリアリソースは、前記ユーザー端末の制御シグナルと物理過程とを搬送することを特徴とする請求項１〜７のいずれかの１項に記載の方法。
【請求項１０】
キャリアアグリゲーション用の予約リソースと、ユーザー端末の性能とを含む所定情報を確定する確定モジュールと、
前記ユーザー端末の性能に応じて、前記予約リソースから第１キャリアリソースを選択する第１選択モジュールと、
前記予約リソース以外のリソースから、前記ユーザー端末にデータを搬送するための第２キャリアリソースを選択する第２選択モジュールと、
前記第１選択モジュールが選択した前記第１キャリアリソースと前記第２選択モジュールが選択した前記第２キャリアリソースとをアグリゲーションさせるアグリゲーションモジュールと
を備える基地局。
【請求項１１】
前記アグリゲーションモジュールは、
前記ユーザー端末から報告された、前記ユーザー端末が前記基地局によって選択された前記第１キャリアリソースと前記第２キャリアリソースとの干渉を測定する結果である測定結果を受信する受信サブモジュールと、
前記受信サブモジュールが受信した前記測定結果に応じて、前記ユーザー端末の干渉がシステムにおけるセル間の干渉協調の条件に合うかを判断する判断サブモジュールと、
前記判断サブモジュールが、前記ユーザー端末の干渉がシステムにおけるセル間の干渉協調の条件に合うと判断した場合、前記第１キャリアリソースと前記第２キャリアリソースとをアグリゲーションさせるアグリゲーションサブモジュールとを含むことを特徴とする請求項１０に記載の基地局。
【発明の詳細な説明】
【技術分野】
【０００１】
本発明は、通信分野に関し、具体的には、キャリアアグリゲーション（CA：Carrier Aggregation）の実施方法及び基地局（BS ：Base Station）に関する。
【背景技術】
【０００２】
次世代の広帯域無線通信ネットワークにおいて、無線通信ネットワークにおいてどのように現在の無線通信システムにおける帯域幅でより大きい帯域幅をサポートするかは、セル間のユーザー端末（UT ：User Terminal）のスループット性能及びユーザー端末ＵＴの平均スループット性能を向上させるための重要な要素になる。
【０００３】
現在、第３世代パートナーシップ・プロジェクトの長期進化型（LTE ：Long Term Evolution）システムには、次世代無線基準においてスループット性能やピークレートなどのインデックスに対する要求を満たすために、キャリアアグリゲーションの方式を採用して、有効的に現在の無線通信システムでより大きい帯域幅をサポートできることが提案される。
【０００４】
キャリアアグリゲーションは将来の無線通信システムにおいてより大きい帯域幅をサポートする重要な技術であって、キャリアアグリゲーションは異なるキャリアをアグリゲーションさせることで、より大きい帯域幅のキャリアを形成して、アグリゲーションされた後の帯域幅でより強い機能を持つユーザー端末ＵＴをサポートして、例えば、高級長期進化型システム（LTE- Advanced ：Long-Term Evolution Advanced）で１００MHzを超える帯域幅をサポートする。
【０００５】
しかし、現在、LTE- Advancedで検討されるキャリアアグリゲーションには、セル間のユーザー端末ＵＴのスループット性能及びユーザー端末ＵＴの平均スループット性能に対して重要な役割を果たすセル間の干渉の影響が考慮されていないため、アグリゲーションされたキャリア部分が深刻なセル間の干渉を受けると、より大きい帯域幅を取得しても、深刻なセル間の干渉によりアグリゲーションされたキャリア部分を使用するユーザー端末ＵＴのスループット性能及び速度が低下し、キャリアアグリゲーションによる利点を相殺する。
【０００６】
従来技術ではキャリアアグリゲーションにおいてセル間の干渉によるユーザー端末ＵＴのスループット性能及び平均スループットに対する影響が考慮されていないため、ユーザー端末ＵＴのスループット性能及び速度が低下される問題が引き起こされ、現時点まで、まだ有効的な解決案が提案されていない。
【発明の概要】
【発明が解決しようとする課題】
【０００７】
本発明は、関連技術ではキャリアアグリゲーションにおいてセル間の干渉によるユーザー端末ＵＴのスループット性能及び平均スループット性能に対する影響が考慮されていないために、ユーザー端末ＵＴのスループット性能及び速度が低下される問題に対して提案される。本発明の主な目的は、上記問題を解決するために、キャリアアグリゲーションの実施案を提供することにある。
【課題を解決するための手段】
【０００８】
本発明は、上記課題を解決するためになされたものであり、本発明に係る第１側面は、キャリアアグリゲーションの実施方法が提案される。
本発明に係るキャリアアグリゲーションの実施方法は、以下のステップを含む。
基地局はキャリアアグリゲーション用の予約リソースと、ユーザー端末の性能とに用いられる所定情報を確定し、前記基地局がユーザー端末の性能に応じて予約リソースから第１キャリアリソースを選択して、予約リソース以外のリソースからユーザー端末にデータを搬送するための第２キャリアリソースを選択し、前記基地局が第１キャリアリソースと第２キャリアリソースとをアグリゲーションさせる、ことを含む。
【０００９】
基地局が第１キャリアリソースと第２キャリアリソースとをアグリゲーションさせることは、基地局がユーザー端末から報告された、ユーザー端末が基地局によって選択された第１キャリアリソースと第２キャリアリソースとの干渉を測定した結果である測定結果を受信し、基地局が測定の結果に応じて、ユーザー端末の干渉がシステムにおけるセル間の干渉協調の要求に合うかを判断し、ユーザー端末の干渉が前記システムにおけるセル間の干渉協調の条件と合う場合、第１キャリアリソースと第２キャリアリソースとをアグリゲーションさせることを含む。
【００１０】
好ましくは、基地局が測定結果に応じて干渉が条件に合うかを判断することは、判断結果が、ユーザー端末の干渉がシステムにおけるセル間の干渉協調の条件と合わなかったことを示している場合、基地局が第２キャリアリソースと予約リソースとを新規予約リソースとして、新規予約リソースから第１キャリアリソースを再選択することをさらに含む。
【００１１】
好ましくは、基地局が確定した所定情報は、キャリアアグリゲーションに含まれるキャリアのサイズをさらに含み、基地局は全てのユーザー端末がサポートする帯域幅のタイプに応じてサイズを確定する。
【００１２】
好ましくは、基地局は、現在のシステムにおける負荷条件と、ユーザー端末の性能及び/または当該性能の変化と、全てのユーザー端末がサポートする帯域幅のタイプと、セル間の干渉条件との少なくとも１つに応じて、予約リソースを確定する。
【００１３】
好ましくは、隣接セルにおいて、基地局が確定した全てのキャリアアグリゲーションの予約リソースは、直交リソースである。
【００１４】
好ましくは、基地局が確定したユーザー端末の性能は、ユーザー端末の帯域幅性能、アグリゲーションに影響するキャリアの数及びアグリゲーションに影響するキャリアのサイズを含む。
【００１５】
好ましくは、基地局がキャリアリソースと他のキャリアリソースとをアグリゲーションさせた後、前記方法は、ユーザー端末による、アグリゲーションによって生じる新規キャリアの使用によって引き起こされる干渉が条件に合わない場合、基地局が第１キャリアリソースを再選択することを含む。
【００１６】
好ましくは、第１キャリアリソースは、ユーザー端末の制御シグナルと物理過程とを搬送することに用いられる。
【００１７】
本発明は、上記課題を解決するためになされたものであり、その第２側面は、キャリアアグリゲーションの実施の基地局が提案される。
本発明に係るキャリアアグリゲーションの実施の基地局は、
キャリアアグリゲーション用の予約リソースと、ユーザー端末の性能とを含む所定情報を確定する確定モジュールと、
ユーザー端末の性能に応じて、予約リソースから第１キャリアリソースを選択する第１選択モジュールと、
予約リソース以外のリソースからユーザー端末にデータを搬送するための第２キャリアリソースを選択する第２選択モジュールと、
第１選択モジュールが選択した第１キャリアリソースと第２選択モジュールが選択した第２キャリアリソースとをアグリゲーションさせるアグリゲーションモジュールとを備える。
【００１８】
上記アグリゲーションモジュールは、ユーザー端末から報告された、ユーザー端末が基地局によって選択された第１キャリアリソースと第２キャリアリソースとの干渉を測定した結果である測定結果を受信する受信サブモジュールと、
受信サブモジュールが受信した測定結果に応じて、ユーザー端末の干渉がシステムにおけるセル間の干渉協調の条件に合うかを判断する判断サブモジュールと、
前記判断サブモジュールが、前記ユーザー端末の干渉がシステムにおけるセル間の干渉協調の条件に合うと判断した場合、第１キャリアリソースと第２キャリアリソースとをアグリゲーションさせるアグリゲーションサブモジュールとを含む。
【００１９】
本発明によれば、リソース予約に基づいてキャリアアグリゲーションを行い、かつ、キャリアアグリゲーションで搬送された重要な制御チャンネルと、ランダムアクセスなどの重要な物理過程に対して重要な役割を果たすキャリア部分とを予約処理することにより、関連技術においてキャリアアグリゲーションでのセル間の干渉によるユーザー端末ＵＴのスループット性能及び平均スループット性能に対する影響が考慮されていないためにユーザー端末ＵＴのスループット性能及び速度が低下される問題を解決して、さらに、セル間の干渉を低減する前提の下、ユーザー端末ＵＴが使用するキャリアを拡張し、新しい無線通信ネットワークの各種の要求に適応して、無線通信ネットワークにおける通信品質を保証することができる。
【図面の簡単な説明】
【００２０】
【図１】本発明の実施例に係るキャリアアグリゲーションの実施方法を示すフローチャートである。
【図２】本発明の実施例に係るキャリアアグリゲーションの実施方法を示す詳細なフローチャートである。
【図３】本発明の実施例に係る基地局の構成図である。
【図４】本発明の好ましい実施例に係る基地局の構成図である。
【発明を実施するための形態】
【００２１】
上記図面は本発明をより良く理解するために用いられ、本発明の一部を構成し、本発明に係る典型的な実施形態及びその説明は、本発明を解釈するために用いられるが、本発明を不当に限定するものではない。
【００２２】
「機能の概述」
本発明に係る実施例は、関連技術では、キャリアアグリゲーションにおいてセル間の干渉によるユーザー端末ＵＴのスループット性能及び平均スループット性能に対する影響が考慮されていないために、ユーザー端末ＵＴのスループット性能及び速度が低下される問題を考慮し、リソース予約に基づくキャリアアグリゲーションを行い、かつ、キャリアアグリゲーションで搬送された重要な制御チャンネルと、ランダムアクセスなどの重要な物理過程で重要な役割を果たすキャリア部分とを予約処理することにより、セル間の干渉を低減する前提の下、ユーザー端末ＵＴが使用するキャリアの数を拡張し、新しい無線通信ネットワークの各種の要求に適応して、無線通信ネットワークにおける通信品質を保証することができるキャリアアグリゲーションの実施案を提供する。
【００２３】
なお、矛盾しない限り、本出願の実施例及び実施例での特徴は互いに組み合わされてもよい。以下、図面を参照しながら実施例とともに本発明を詳細に説明する。
【００２４】
「方法の実施例」
本発明の実施例によれば、キャリアアグリゲーションの実施方法が提供される。
図１は本発明の実施例に係るキャリアアグリゲーションの実施方法を示すフローチャートである。図１に示されるように、以下のステップＳ１０２〜Ｓ１０６を含む。
【００２５】
ステップＳ１０２において、基地局ＢＳは、キャリアアグリゲーション用の予約リソースと、ユーザー端末ＵＴの性能とを含む所定情報を確定する。好ましくは、当該所定情報はキャリアアグリゲーションに含まれるキャリアのサイズをさらに含む。
【００２６】
ステップＳ１０４において、基地局ＢＳは、ユーザー端末の性能に応じて、予約リソースから、ユーザー端末ＵＴの制御シグナルと物理過程とを搬送する第１キャリアリソースを選択し、予約リソース以外のリソースから、ユーザー端末にデータを搬送するための第２キャリアリソースを選択する。
【００２７】
ステップＳ１０６において、基地局ＢＳは、第１キャリアリソースと第２キャリアリソースとをアグリゲーションさせる。具体的な処理は、以下の動作を含む。
【００２８】
（１）基地局ＢＳは、ユーザー端末ＵＴから報告された、ユーザー端末ＵＴが基地局ＢＳによって選択された第１キャリアリソースと第２キャリアリソースとの干渉を測定した結果である測定結果を受信する。
【００２９】
（２）基地局ＢＳは、測定結果に応じて、ユーザー端末の干渉がシステムにおけるセル間の干渉協調の条件に合うかを判断して、判断結果が肯定的である場合、第１キャリアリソースと第２キャリアリソースとをアグリゲーションさせ、判断結果が否定的である場合、第２キャリアリソースと予約リソースとを新規予約リソースとして、新規予約リソースから第１キャリアリソースを再選択する。
【００３０】
当該実施例によれば、関連技術では、キャリアアグリゲーションにおいてセル間の干渉によるユーザー端末ＵＴのスループット性能及び平均スループット性能に対する影響が考慮されていないために、ユーザー端末ＵＴのスループット性能及び速度が低下される問題を解決することができ、さらに、セル間の干渉を低減する前提の下、ユーザー端末ＵＴが使用するキャリアの数を拡張し、新しい無線通信ネットワークの各種の要求に適応して、無線通信システムにおける通信品質を保証することができる。
【００３１】
なお、ユーザー端末による、アグリゲーションによって生じる新規キャリアの使用によって引き起こされる干渉が条件に合わない場合、基地局ＢＳは、第１キャリアリソースを再選択する。
【００３２】
以下に図面及び実施例を結び付けて、本発明をさらに詳しく説明する。なお、図面のフローチャートに示されるステップは、例えばコンピュータ実行可能なコマンド群のコンピュータシステムで実行されることができ、さらに、フローチャートには論理順序が示されているが、幾つかのケースでは、ここで示される或いは述べられるステップの順序と異なる順序で、ステップを実行することができる。
【００３３】
図２は本発明の実施例に係るキャリアアグリゲーションの実施方法を示す詳細なフローチャートである。当該方法は、以下のステップＳ２０１〜ステップＳ２０８を含む。
【００３４】
ステップＳ２０１において、基地局ＢＳは、全てのユーザー端末ＵＴがサポートする帯域幅のタイプに応じて、キャリアアグリゲーションに含まれるキャリア構成部分のサイズを確定する（即ち、上記ステップＳ１０２）。
【００３５】
基地局ＢＳがキャリアアグリゲーションに含まれるキャリア構成部分のサイズを確定することにおいて、新しいシステムは元システムに対しての後方互換性が必然的かつ厳格に要求されるため、新しいシステムに元システムのユーザー端末ＵＴを有する可能性がある。しかしながら、新しいシステムにおいて搬送可能なユーザー端末ＵＴと元システムにおいて搬送可能なユーザー端末ＵＴとは、帯域幅で著しく異なる要求があり、例えば、LTEシステムに１０MHz、２０MHzなどのタイプの帯域幅がある一方で、LTE-A dvancedには１００MHzタイプの帯域幅があり、そのため、基地局ＢＳは、キャリアアグリゲーションが全てのタイプの帯域幅をサポートすることができるように、サポートされた帯域幅のタイプの全てをまとめることが明確に要求される。
【００３６】
ステップＳ２０２において、基地局ＢＳは、キャリアアグリゲーション用の予約リソースを確定する（即ち、上記ステップＳ１０２）。基地局ＢＳは、現在のシステムにおける負荷条件と、ユーザー端末の性能及び/または当該性能の変化と、全てのユーザー端末がサポートする帯域幅のタイプと、セル間の干渉条件との少なくとも１つに応じて、予約リソースを確定することができるが、これに限られない。
【００３７】
具体的には、キャリアアグリゲーション用の予約リソースを確定する場合、基地局ＢＳは、現在のシステムにける負荷条件、ユーザー端末ＵＴの性能及び全てのサポートされる帯域幅のタイプなどに応じて、システムのステータスに適合するキャリアリソースを予約する。本実施例で説明されるキャリア予約は、一例として説明される。他の要素がリソース予約時に考慮されてもよく、このようなリソース予約は、全て本発明の特許範囲に含まれるべきである。
【００３８】
リソースの利用率を向上させるように、負荷条件、ユーザー端末ＵＴの性能の変化及びセル間の干渉などのシステムの条件に応じて、キャリアアグリゲーション用の予約リソースを再分配、増加または減少することができる。
【００３９】
セル間の干渉は、キャリアアグリゲーションのリソース予約時に考慮され、隣接セルでは、基地局ＢＳが確定した全てのキャリアアグリゲーション用の予約リソースは直交リソースである。
【００４０】
ステップＳ２０３において、基地局ＢＳは、ユーザー端末ＵＴの性能を確定する。ユーザー端末ＵＴの性能は、ユーザー端末ＵＴの帯域幅性能と、アグリゲーションに影響するキャリアの数と、アグリゲーションに影響するキャリアのサイズとを含む（即ち、上記ステップＳ１０２）。
【００４１】
Ｓ２０４において、基地局ＢＳは、ユーザー端末ＵＴの性能を満足するために、予約リソースから構成キャリア（即ち、上記第１キャリアリソース）を選択してアグリゲーションを完成させる。ここで、基地局ＢＳは、選択されたキャリアリソースをアグリゲーション処理して、１つの新規のより大きいキャリアを形成してユーザー端末ＵＴにサービスを提供する（即ち、上記ステップＳ１０４）。
【００４２】
ステップ２０５において、基地局ＢＳは、主要な制御シグナル及び主要な物理過程に関連するキャリアリソース以外の全てのデータ部分を搬送するために、ユーザー端末ＵＴのための他のキャリアリソース（即ち、上記第２キャリアリソース）を選択する（即ち、上記ステップＳ１０４）。
【００４３】
なお、システムにおけるキャリアアグリゲーション用のリソースは有限であるので、予約が多すぎると、キャリアリソースの利用率にひどく影響する恐れがある。予約リソースの役割を最大に果たさせるために、ユーザー端末ＵＴのサービス品質を低下させない前提の下、主要な制御シグナル及び主要な物理過程に関連するキャリアリソース以外の全てのデータ部分を他のキャリアリソースに割り当てる。このように、主要な制御シグナル及び主要な物理過程に用いられるリソースが依然として予約部分のキャリアリソースに位置するとともに、隣接セル間のキャリアアグリゲーションのために予約されたキャリアリソースが直交リソースであるので、有効的にセル間の干渉を低減する条件の下、さらに、ユーザー端末ＵＴの各種の物理過程でのブラインド検出の回数と、シグナルインタラクションに必要な時間を低減し、有効的にユーザー端末ＵＴのエネルギーの消耗を節約する。
【００４４】
ステップＳ２０６において、ユーザー端末ＵＴは、基地局ＢＳが再分配したキャリアリソースの干渉を測定して、当該基地局ＢＳに報告する。
【００４５】
ステップＳ２０７において、基地局ＢＳは、ユーザー端末ＵＴから報告された再分配されたキャリアリソースの干渉を受信した後、当該ユーザー端末ＵＴによるキャリアリソースの使用によって引き起こされる干渉がシステムにおけるセル間の干渉協調の条件に合うか、即ち、セルの干渉がシステムにおけるセル間の干渉ストラテジーを満足するかを判断して、合わない場合、ステップＳ２０４に戻って、合った場合、ステップＳ２０８に進む。
【００４６】
ステップＳ２０６とステップＳ２０７において、セル間の干渉が考慮され、ユーザー端末ＵＴが新たに割り当てられたキャリアリソースでデータ送信/受信を行うときに、現在のシステムにおけるセル間の干渉ストラテジーを満足できない場合、基地局ＢＳは、ユーザー端末ＵＴのデータ部分が占拠するキャリアリソースを依然として予約リソース部分に一時的に保存して、その後、ユーザー端末ＵＴにセル間の干渉のストラテジーに基づいて新たにセル間の干渉を満足する新規キャリアリソースを探す。このようにして、ユーザー端末ＵＴがセル間の比較的小さい干渉を有する条件下で、キャリアアグリゲーションに予約されたキャリアリソースを十分に利用することが保証される。
【００４７】
ステップＳ２０８において、基地局ＢＳは、ユーザー端末ＵＴの制御シグナル及び主要な物理過程を搬送するための予約リソース内のキャリアリソースと、データを搬送するための再分配されたキャリアリソースとをアグリゲーションさせて、アグリゲーションされた新たなキャリアを形成する。即ち、基地局ＢＳは、最終的にユーザー端末ＵＴに確定されたキャリアリソースをアグリゲーションさせて、ユーザー端末ＵＴの性能に合う新しいキャリアリソースを形成する（即ち、上記ステップＳ１０６）。
【００４８】
なお、本発明の実施例に係るリソース予約に基づくキャリアアグリゲーションにおいて、ユーザー端末ＵＴが位置する条件の変化、例えば、ユーザー端末ＵＴの移動、ユーザー端末ＵＴの性能の変更などに伴って、ユーザー端末ＵＴがアグリゲーションによって形成された新規キャリアを使用して現在のシステムにおけるセル間の干渉を満足しないストラテジーを再び発生すると、依然として本発明の実施例に係るリソース予約に基づく方法を再び使用して新たなリソースを再選択することができる。上述したリソース予約に基づくキャリアアグリゲーションの方法は、セル間の干渉が考慮された、適当な、手軽な、使いやすい方法である。
【００４９】
「装置の実施例」
本発明の実施例によれば、上記キャリアアグリゲーションを実施することに用いられる基地局ＢＳが提供される。
【００５０】
図３は本発明の実施例に係る基地局ＢＳの構成図である。図３に示されるように、当該基地局ＢＳは、確定モジュール３２と、第１選択モジュール３４と、第２選択モジュール３６と、アグリゲーションモジュール３８とを備える。以下に上記構造を述べる。
【００５１】
確定モジュール３２は、キャリアアグリゲーション用の予約リソースと、ユーザー端末ＵＴの性能とを含む所定情報を確定し、キャリアアグリゲーションに含まれるキャリアのサイズをさらに確定することができる。
【００５２】
第１選択モジュール３４は、確定モジュール３２に接続され、ユーザー端末ＵＴの性能に応じて、予約リソースから第１キャリアリソースを選択する。
【００５３】
第２選択モジュール３６は、確定モジュール３２に接続され、予約リソース以外のリソースから、ユーザー端末ＵＴにデータを搬送する第２キャリアリソースを選択する。
【００５４】
アグリゲーションモジュール３８は、第１選択モジュール３４と第２選択モジュール３６とに接続され、第１選択モジュール３４が選択した第１キャリアリソースと第２選択モジュール３６が選択したキャリアリソースとをアグリゲーションさせる。
【００５５】
図４は本発明の好ましい実施例に係る基地局ＢＳの構成図である。図４に示されるように、アグリゲーションモジュール３８は、受信サブモジュール８２と、判断サブモジュール８４と、アグリゲーションサブモジュール８６とを含む。以下に上記構造を述べる。
【００５６】
受信サブモジュール８２は、ユーザー端末ＵＴから報告された、ユーザー端末ＵＴが基地局ＢＳによって選択された第１キャリアリソースと第２キャリアリソースとの干渉を測定した結果である測定結果を受信する。
【００５７】
判断サブモジュール８４は、受信サブモジュール８２に接続され、受信サブモジュール８２の測定結果に応じて、ユーザー端末ＵＴの干渉がシステムにおけるセル間の干渉協調の条件に合うかを判断する。
【００５８】
アグリゲーションサブモジュール８６は、判断サブモジュール８４に接続され、判断サブモジュール８４が、ユーザー端末ＵＴがシステムにおけるセル間の干渉協調の条件に合うと判断した場合に、第１キャリアリソースと第２キャリアリソースとをアグリゲーションさせる。
【００５９】
当該実施例によれば、基地局ＢＳは、上記判断がなされた後、第１キャリアリソースと第２キャリアリソースとをアグリゲーション処理することで、セル間の干渉を低減する前提の下、ユーザー端末ＵＴが使用するキャリアの数を拡張し、新しい無線通信ネットワークの各種の要求に適応して、無線通信ネットワークにおける通信品質を保証することができる。
【００６０】
上述したように、本発明の上記実施例によれば、キャリアアグリゲーションで搬送された重要な制御チャンネルと、ランダムアクセスなどの重要な物理過程で重要な役割を果たすキャリア部分とを予約処理する。同時に、セル間の干渉協調が考慮され、異なる隣接基地局ＢＳにおける予約のキャリア部分が直交化することが保証される。さらに、リソース予約の使用をさらに柔軟にさせるために、予約部分のキャリアを異なる搬送周波数に位置することができ、そして、キャリアアグリゲーションの要求に応じて予約リソースの位置及びサイズを相応に調整することができ、基地局ＢＳのリソース予約のキャリアアグリゲーション処理により、キャリアアグリゲーションにおける主要な役割を果たすキャリア部分を予約処理している。本発明は、セル間の干渉を低減する前提の下、ユーザー端末ＵＴが使用するキャリアの数を拡張し、新しい無線通信ネットワークの各種の要求に適応して、無線通信ネットワークにおける通信品質を保証することができる。さらに、関連物理過程で使用される、主要な制御チャネル及びリソースが、予約部分とさているので、各種の物理過程でのユーザー端末ＵＴのブラインド検出の回数、シグナルインタラクションに用いられる時間を低減し及び有効的にユーザー端末ＵＴのエネルギーの消耗を節約することが可能となる。
【００６１】
明らかなように、当業者であれば、本発明のモジュールまたはステップは、汎用コンピュータによって実現することができること、単一のコンピュータにまとめることができるかまたは、複数のコンピュータから成るネットワークに分散することができること、および任意選択でコンピュータ実行可能プログラムコードによって実現することができることを理解されるであろう。したがって、モジュールまたはステップを、コンピュータによって実行される記憶装置に記憶することができ、また、複数の集積回路モジュールに別々に製造することもできる。また、これらのモジュールまたはステップの一部が、単一の集積回路モジュールに製造されてもよい。したがって、本発明は、ハードウェアとソフトウェアとの任意の特殊な組合せに限定されない。
【００６２】
上記のものは本発明の好適な実施形態に過ぎず、本発明はこれに限定されず、種々の変更形態および変形形態が当業者によって可能である。また、特許請求の範囲に規定される本発明の精神及び範囲に逸脱しない限り、あらゆる変更、均等な代替物、および改良が可能であることを理解されたい。
【図１】
2012521691.tif 000003
【図２】
2012521691.tif 000004
【図３】
2012521691.tif 000005
【図４】
2012521691.tif 000006
【国際調査報告】
2012521691.tif 000007
2012521691.tif 000008
2012521691.tif 000009
2012521691.tif 000010